(57)【要約】【課題】より簡易に可撓性シート部材の位置決めができる印刷結果検査装置を提供する。【解決手段】画像形成装置による印刷結果を検査する検査装置は、搬送ガイド板３８に沿って搬送される用紙５０に印刷された画像を読み取って、検査画像データを取得する読取装置と、検査画像データに基づいて印刷結果の良否を判断する判断手段と、読取装置による画像の読取位置Ｒより上流の位置で搬送された用紙５０を搬送ガイド板３８に押し当てて当該用紙５０の平面性を向上させる可撓性シート部材４６と、可撓性シート部材４６の先端部から延びる舌部５２と、を有する。舌部５２は、可撓性シート部材４６により押し当てられる用紙より外側に位置する舌部５２であって、可撓性シート部材４６の先端を読取位置Ｒの直前に配置する際の位置決め基準となる。【選択図】図３
2005212937.tif 000002
【特許請求の範囲】
【請求項１】
用紙に画像を印刷する印刷部と
印刷部による印刷結果を検査する検査手段と
を備えた画像形成装置であって、
検査手段は、
搬送ガイド板に沿って搬送される用紙に印刷された画像を読み取って、検査画像データを取得する読取手段と、
検査画像データに基づいて印刷結果の良否を判断する判断手段と、
読取手段による画像の読取位置より上流の位置で搬送路ガイド板に垂らされる可撓性シート部材であって、搬送された用紙を搬送ガイド板に押し当てて当該用紙の平面性を向上させる可撓性シート部材と、
可撓性シート部材の先端部から延びるとともに可撓性シート部材により押し当てられる用紙より外側に位置する舌部であって、可撓性シート部材の先端を読取位置の直前に配置する際の位置決め基準となる舌部と、
を有することを特徴とする画像形成装置。
【請求項２】
請求項１に記載の画像形成装置であって、
舌部は、下流側ほど幅狭となる形状であることを特徴とする画像形成装置。
【請求項３】
請求項２に記載の画像形成装置であって、
舌部は、三角形状であることを特徴とする画像形成装置。
【請求項４】
請求項１から３のいずれか１項に記載の画像形成装置であって、
舌部は、可撓性シート部材の先端部と読取位置との位置関係を示す模様を有することを特徴とする画像形成装置。
【請求項５】
請求項１から４のいずれか１項に記載の画像形成装置であって、
舌部は、可撓性シート部材とは異なる色を有することを特徴とする画像形成装置。
【請求項６】
請求項１から５のいずれか１項に記載の画像形成装置であって、
印刷部は、原稿画像データに基づいて用紙に画像を印刷し、
判断手段は、原稿画像データと検査画像データとを比較照合することにより印刷結果の良否を判断することを特徴とする画像形成装置。
【請求項７】
原稿画像データに基づいて用紙に画像を印刷する画像形成装置に取り付けられ、画像形成装置による画像印刷の結果を検査する印刷結果検査装置であって、
画像形成装置の搬送ガイド板に沿って搬送される用紙に印刷された画像を読み取って、検査画像データを取得する読取手段と、
検査画像データに基づいて印刷結果の良否を判断する判断手段と、
読取手段の読取位置より上流の位置で搬送路ガイド板に垂らされる可撓性シート部材であって、搬送された用紙を搬送ガイド板に押し当てて当該用紙の平面性を向上させる可撓性シート部材と、
可撓性シート部材の先端部から延びるとともに可撓性シート部材により押し当てられる用紙より外側に位置する舌部であって、読取装置で読み取られることにより可撓性シートの位置決め基準となる舌部と、
を有することを特徴とする印刷結果検査装置。
【請求項８】
画像形成装置の搬送ガイド板に沿って搬送された用紙に印刷された画像を読み取って検査画像データを取得する際に、読み取り位置の直前で当該用紙を搬送ガイド板に押しあてて、当該用紙の平面性を向上させる可撓性シート部材の位置決め方法であって、
可撓性シート部材の先端部から延びるとともに、可撓性シート部材により押し当てられる用紙より外側に位置する舌部を設け、
読取装置で読み取られる画像を確認しながら、舌部のみが読み取ることができる位置まで、可撓性シート部材を搬送方向に移動させることを特徴とする可撓性シート部材の位置決め方法。
【発明の詳細な説明】
【技術分野】
【０００１】
本発明は、印刷部による印刷結果を検査する検査手段を備えた画像形成装置、画像形成装置による印刷結果を検査する印刷結果検査装置、および、搬送ガイド板に沿って搬送される用紙の平面性を向上させる可撓性シート部材の位置決め方法に関する。
【背景技術】
【０００２】
従来から、検査手段を備えた画像形成装置が知られている。このような検査手段を備えた画像形成装置によれば、自動的に印刷結果の良否を判断でき、印刷不良の場合には再印刷する等の対応をとることができる。これにより、より信頼性の高い画像印刷が可能となる。
【０００３】
印刷結果の検査は、用紙に印刷された画像を読取装置で読み取り、得られた検査画像データに基づいて行われる。したがって、正確な印刷結果の検査には検査画像データが正確に取得されることが必要となる。正確な検査画像データ取得のためには、画像読み取り時に、読み取り対象の用紙ができるだけ平らであることが望ましい。用紙にカールやうねりが生じていると、その用紙表面に印刷された画像が歪んで見えてしまい、正確な検査画像データを取得できないからである。用紙にカールやうねりがある場合、印刷部で正常に画像印刷されても、印刷結果不良と判断される場合がある。
【０００４】
そこで、このような用紙のカールやうねりを低減する方法として、従来から可撓性を備えたシート状部材を用いることが提案されている。例えば、特許文献１には、搬送路を形成する搬送ガイド板上を移動する画像記録材料（用紙）を、搬送ガイト板面に押し付けるよう摺接して画像記録材料を平面状に保つ弾性部材（可撓性シート部材）を備えた画像形成装置が開示されている。これによれば、用紙のカール等を矯正することができ、用紙の平面性を向上させて搬送することができる。
【０００５】
【特許文献１】特開平１１−２７１９５１号公報
【発明の開示】
【発明が解決しようとする課題】
【０００６】
したがって、このような弾性部材（可撓性シート部材）を読取位置からみて上流側に配置すれば、用紙の平面性を向上させた状態で画像読取位置に搬送することができる。そして、ひいては、正確な検査画像データの取得、正確な印刷結果の検査が可能となる。しかしながら、この可撓性シート部材による用紙のカール等の矯正は、あくまで、一時的なものであり、可撓性シート部材を通過後、所定時間経過すると、再び、カール等が生じることがある。
【０００７】
したがって、可撓性シート部材の先端部が読取位置からみて、あまりに上流側にあると、可撓性シート部材により一時的に用紙の平面性を向上させても、読取位置に至るまでに再度、用紙にカール等が生じることがある。また、当然ながら、可撓性シート部材が読取位置にあると、画像読み取りの邪魔となる。したがって、可撓性シート部材の先端部は読取位置のできるだけ直前であることが望ましい。
【０００８】
しかしながら、可撓性シート部材の先端部は、読取装置や種々の部材によって遮られ、外部から見えにくい場合がある。また、そもそも読取位置は、外部からの目視では確認することが困難な場合が多い。そのため、可撓性シート部材を読取位置の直前に配置することは困難であった。
【０００９】
そこで、本発明では、可撓性シート部材の位置決めが簡易にでき、ひいては、より正確に印刷結果の検査ができる画像形成装置、印刷結果検査装置、可撓性シート部材の位置決め方法を提供することを目的とする。
【課題を解決するための手段】
【００１０】
本発明の画像形成装置は、用紙に画像を印刷する印刷部と、印刷部による印刷結果を検査する検査手段と、を備えた画像形成装置であって、検査手段は、搬送ガイド板に沿って搬送される用紙に印刷された画像を読み取って、検査画像データを取得する読取手段と、検査画像データに基づいて印刷結果の良否を判断する判断手段と、読取手段による画像の読取位置より上流の位置で搬送路ガイド板に垂らされる可撓性シート部材であって、搬送された用紙を搬送ガイド板に押し当てて当該用紙の平面性を向上させる可撓性シート部材と、可撓性シート部材の先端部から延びるとともに可撓性シート部材により押し当てられる用紙より外側に位置する舌部であって、可撓性シート部材の先端を読取位置の直前に配置する際の位置決め基準となる舌部と、を有することを特徴とする。
【００１１】
好適な態様では、舌部は、下流側ほど幅狭となる形状であり、より望ましくは、舌部は、三角形状である。別の好適な態様では、舌部は、可撓性シート部材の先端部と読取位置との位置関係を示す模様を有する。別の好適な態様では、舌部は、可撓性シート部材とは異なる色を有する。別の好適な態様では、印刷部は、原稿画像データに基づいて用紙に画像を印刷し、判断手段は、原稿画像データと検査画像データとを比較照合することにより印刷結果の良否を判断する。
【００１２】
他の本発明である印刷結果検査装置は、原稿画像データに基づいて用紙に画像を印刷する画像形成装置に取り付けられ、画像形成装置による画像印刷の結果を検査する印刷結果検査装置であって、画像形成装置の搬送ガイド板に沿って搬送される用紙に印刷された画像を読み取って、検査画像データを取得する読取手段と、検査画像データに基づいて印刷結果の良否を判断する判断手段と、読取手段の読取位置より上流の位置で搬送路ガイド板に垂らされる可撓性シート部材であって、搬送された用紙を搬送ガイド板に押し当てて当該用紙の平面性を向上させる可撓性シート部材と、可撓性シート部材の先端部から延びるとともに可撓性シート部材により押し当てられる用紙より外側に位置する舌部であって、読取装置で読み取られることにより可撓性シートの位置決め基準となる舌部と、を有することを特徴とする。
【００１３】
他の本発明である可撓性ガイド部材の位置決め方法は、画像形成装置の搬送ガイド板に沿って搬送された用紙に印刷された画像を読み取って検査画像データを取得する際に、読み取り位置の直前で当該用紙を搬送ガイド板に押しあてて、当該用紙の平面性を向上させる可撓性シート部材の位置決め方法であって、可撓性シート部材の先端部から延びるとともに、可撓性シート部材により押し当てられる用紙より外側に位置する舌部を設け、読取装置で読み取られる画像を確認しながら、舌部のみが読み取ることができる位置まで、可撓性シート部材を搬送方向に移動させることを特徴とする。
【００１４】
ここで、画像形成装置は、プリンタや複写機、ファクシミリ、および、これらを複合したデジタル複合機等、画像を印刷する機能を有する装置全般をさす。また、用紙は、通常の印刷用紙の他、葉書、厚紙、布、ＯＨＰシート等シート状の印刷媒体全般を指す。また、可撓性シート部材は、所定の可撓性を備えたシート状部材であれば、その材質や色等は特に問わない。また、舌部は、可撓性シート部材と一体で形成されてもよく、別体として形成されてもよい。
【発明の効果】
【００１５】
本発明によれば、舌部を位置決め基準として用いることにより可撓性シート部材の位置決めが簡易にでき、ひいては、より正確な印刷結果の検査ができる。
【発明を実施するための最良の形態】
【００１６】
以下、図面を参照して本発明の実施の形態であるプリンタ１０について説明する。図１にプリンタ１０の全体の構成図を示す。また、プリンタ１０のうち、検査装置１６周辺の概略側面図を図２に、概略上面図を図３示す。なお、図３において、読取装置１７は省略している。以下で説明するプリンタ１０は、比較的大型の高速プリンタを想定している。ただし、適宜、その構成の一部を変更することにより、複写機や小型プリンタ等他の画像形成装置に応用してもよい。
【００１７】
このプリンタ１０は、図示しない画像印刷用制御部により制御されており、画像印刷用制御部に記憶された原稿画像データと同じ画像を用紙に形成するものである。収容部２２に収容された用紙は、主搬送路１４に沿って搬送され、印刷部１２において画像印刷される。印刷結果は、印刷部１２の下流に設けられた検査装置１６で検査される。そして、その検査結果に応じて、用紙は排紙部２４または両面用搬送路１８に搬送される。以下、このプリンタ１０について詳説する。
【００１８】
用紙が搬送される搬送路は、主搬送路１４、両面用搬送路１８、排紙用搬送路２１に大別される。主搬送路１４は、用紙を収容部２２から印刷部１２および検査装置１６へと案内する搬送路である。また、両面用搬送路１８は、主搬送路１４の下流で分岐した搬送路で、用紙を裏返して再度、主搬送路１４に案内する搬送路である。排紙用搬送路２１は、主搬送路１４から分岐して、印刷済みの用紙を排紙部に案内する搬送路である。各搬送路１４，１８，２１は、用紙の移動をガイドする搬送ガイド板３８で形成されている。この搬送ガイド板３８の所定位置には、搬送用ローラ１５が設けられており、この搬送用ローラ１５を駆動することにより、用紙が搬送ガイド板３８に沿って搬送される。
【００１９】
収容部２２は、用紙を収容するための給紙トレイとして、比較的小容量の２つの第１給紙トレイ３０と比較的大容量の２つの第２給紙トレイ３２とを備えている。各トレイ３０，３２は、それぞれ、主搬送路１４に接続されており、適宜、用紙を主搬送路１４に供給できるようになっている。
【００２０】
印刷部１２は、原稿画像データに基づいてトナー像を形成するとともにそのトナー像を用紙に転写する転写部２６と、用紙に転写されたトナーを定着させる定着部２８とに大別される。転写部２６は、図示しない帯電部および露光部で感光体上に静電潜像を形成し、静電力により感光体表面にトナーを付着させ、トナー像を形成する。ここで形成されるトナー像は、原稿画像に基づいて形成される。そして、感光体または感光体からトナー像が転写された転写ローラは主搬送路１４上に設けられ、ここに用紙が搬送されることにより用紙にトナーが転写される。
【００２１】
定着部２８は、転写部２６より下流の主搬送路１４上に設けられる。これは、トナーが付着された用紙を加熱しながら定着ローラで圧接するもので、これにより用紙に転写されたトナーが用紙に定着される。
【００２２】
検査装置１６は、用紙５０に印刷された画像を読み取る画像読取装置１７、搬送された用紙５０を搬送ガイド板３８に押し当てる可撓性シート４６、検査用制御部（図示せず）とを備える（図２、図３参照）。画像読取装置１７は、印刷部１２で用紙に印刷された画像を読み取るもので、ランプ４０、結像レンズ４２、ＣＣＤセンサ４４を内蔵している。この画像読取装置１７は、搬送ガイド板３８上の画像読取位置Ｒにあるものを読み取れるようになっている。また、この画像読取装置１７は、定着部２８より下流に設けられる。ただし、全体の処理時間短縮、および装置の小型化のためには、定着部２８に近いことが望ましい。この画像読取装置１７で読み取られた画像は、検査画像データとして検査用制御部に出力される。なお、本実施の形態では、読取装置としてＣＣＤセンサを用いているが、用紙に印刷された画像を読み取るものであれば、ＣＭＯＳセンサ等、他の装置を用いてもよい。
【００２３】
可撓性シート４６は、可撓性を備えたシート状部材であり、例えば、ポリエステルやゴム材等の材料を用いることができる。なお、図においては、可撓性シート４６は、透明部材として図示しているが、不透明の部材を用いてもよい。可撓性シート４６は、画像読取装置１７の上流側に設けられ、搬送された用紙５０をその自重により搬送ガイド板３８に押し当てて、一時的に用紙５０の平面性を向上させる。
【００２４】
可撓性シート４６は、搬送ガイド板３８とほぼ等しい幅を有しており、用紙５０のほぼ全幅を搬送ガイド板３８に押し当てることができる。すなわち、搬送された用紙５０は、この可撓性シート４６と搬送ガイド板３８との間を通って、画像読取位置Ｒに至る。この際、用紙はその全幅に渡って可撓性シート４６によって搬送ガイド板３８に押し当てられる。この押し当てにより、用紙に生じたうねりやカールは一時的に矯正され、用紙５０はその平面性が向上された状態となって搬送される。
【００２５】
また、可撓性シート４６は搬送方向に移動可能な移動機構４８により支持されている。したがって、可撓性シート４６の先端位置は、適宜、搬送方向（図２における左右方向）に調整可能となっている。なお、移動機構４８としては、種々の機構を用いることができ、例えば、ガイド部材、ボールネジ、モータ等から構成される移動機構を用いることができる。
【００２６】
可撓性シート４６の先端には、一対の舌部５２が延びている（図３参照）。これは、可撓性シート４６の先端を読取位置の直前に配置する際の位置決め基準となるものである。舌部５２は、可撓性シート４６の両側にそれぞれ設けられた矩形の板状部材であり、その材質は特に限定されない。また、その長さＶは、少なくとも、可撓性シート４６により一時的に平面性が向上された用紙５０が再度カール等を生じるまでの搬送距離より短くなっている。２つの舌部５２の距離Ｗは、少なくとも、このプリンタ１０で使用されるどの用紙の幅より大きい。言い換えれば、この一対の舌部５２は、可撓性シート４６により押し当てられる用紙５０より、常に、外側に位置することになる。
【００２７】
検査用制御部は、判断手段に相当する機能を有しており、検査画像データと予め記憶された原稿画像データとを比較照合することにより印刷結果の良否を判断する。比較照合の結果、２つの画像データの差異量が小さい場合は正常に印刷できたと判断し、差異量が大きい場合は印刷結果不良と判断する。そして、得られた検査結果は、画像印刷用制御部に出力される。
【００２８】
排紙部２４は、正常に画像印刷が終了した用紙が排出される通常排紙トレイ３４と印刷結果が不良と判断された用紙が排出される異常排紙トレイ３６とを備えている。
【００２９】
主搬送路１４に沿って搬送された用紙を、通常排紙トレイ３４、異常排紙トレイ３６、両面用搬送路１８のいずれに導くかは、各搬送路の分岐点に設けられた切替器（図示せず）により切り替えることができる。この切替器は、画像印刷用制御部により制御される。
【００３０】
次に、このプリンタ１０での画像印刷の流れについて説明する。用紙に対して画像印刷を行う場合は、印刷したい画像である原稿画像データを画像印刷用制御部へと入力する。原稿画像データは、例えば、通信装置を介して他のコンピュータ等から原稿画像データを画像印刷用制御部に送信することにより入力される。入力された原稿画像データは、画像印刷用制御部に記憶されるとともに、検査用制御部に出力される。検査用制御部は、この原稿画像データを記憶する。なお、当然ながら、所定の画像が印刷された用紙を読み取って原稿画像データを取得してもよい。
【００３１】
画像印刷用制御部は、記憶した原稿画像データに基づいて、帯電装置、露光装置等を制御して感光体にトナー像を現像する。また、搬送用ローラ１５を駆動させ、所定の給紙トレイ３０，３２から用紙を主搬送路１４に給紙する。給紙された用紙は、主搬送路１４に沿って搬送され、転写部２６でのトナー像の転写、定着部２８でのトナーの定着がなされる。これにより、用紙に対して原稿画像データに基づいた画像印刷がなされる。
【００３２】
印刷部１２により画像が印刷された用紙は、さらに、画像読取位置Ｒへと搬送され、画像読取装置１７により用紙に印刷された画像が読み取られる。検査用制御部は、画像読取装置１７により取得された検査画像データと、予め記憶された原稿データとを比較照合する。そして、２つの画像の差異量が所定の閾値より低い場合は、正常に印刷されたものと判断し、差異量が所定の閾値より大きい場合は、印刷結果不良と判断する。
【００３３】
ここで、画像読取位置Ｒへと搬送された用紙は、予め、または、搬送の過程でカールやうねりが生じている場合がある。特に、画像印刷の際には感光体や定着ローラに圧接され、円弧状に曲げられる。そのため、用紙にカールが生じやすい。また、定着部周辺で発生する熱によってうねり等が生じる場合もある。
【００３４】
用紙にカールやうねりが生じると、その表面に印刷された画像も歪んで見えてしまう。そのため、画像読取装置１７により取得される検査画像も用紙のカールやうねりに応じて歪んだものとなってしまう。したがって、本来、正常に画像の印刷がなされた場合であっても、用紙にカール等があると、検査画像データと原稿画像データとの差異量が大きくなり、印刷結果不良と判断される場合がある。
【００３５】
そこで、画像読取装置１７の上流側に可撓性シート４６を設けている。搬送された用紙５０は、画像読取装置１７による画像読取位置Ｒに至る前に、可撓性シート４６の下を通過することになる。この通過の際には、可撓性シート４６の自重により用紙５０は、搬送ガイド板３８の表面に押し当てられることになる。この押し当てによって用紙は、一時的にそのカールやうねりが矯正され、平面性が向上される。
【００３６】
しかしながら、その用紙５０のカール等の矯正は、あくまで、一時的なものであり、時間が経過すれば、再び、カール等が生じることがある。したがって、可撓性シート４６の先端部と画像読取位置Ｒとの距離が離れすぎていることは望ましくない。また、可撓性シート４６が画像読取位置Ｒまで来ると、用紙に印刷された画像の読み取りを阻害してしまう。したがって、用紙５０を押し当てる可撓性シート４６の先端部は、画像読取位置Ｒのできるだけ直前にあることが望ましい。
【００３７】
一方で、可撓性シート４６の先端部は、画像読取装置１７や周囲にある種々の部材（図示せず）の影響により見えにくい場合が多い。また、そもそも画像読取位置Ｒは、外部からの目視だけでは判断できない場合が多い。したがって、可撓性シート４６の先端部を画像読取位置Ｒの直前に配置することは困難であった。
【００３８】
そこで、本実施の形態では、可撓性シート４６の先端部に舌部５２を設け、これを利用して可撓性シート４６の位置決めを行っている。この位置決めについて説明する。可撓性シート４６の位置決めを行う際には、画像読取装置１７で読み取られる画像を確認しながら、可撓性シート４６を搬送方向に移動させる。そして、画像読取装置１７で舌部５２が読み取り可能、かつ、可撓性シート４６が読み取り不可能となるような位置まで可撓性シート４６を移動させる。言い換えれば、図３に示すように舌部５２のみが画像読取位置Ｒに位置するように可撓性シート４６を移動させる。舌部５２は、可撓性シート４６の先端部から僅かに延びた部材であるため、舌部５２のみが画像読取位置Ｒに位置にある場合、可撓性シート４６の先端部は画像読取位置Ｒの直前に位置するのである。このとき、舌部５２の間の距離Ｗは、使用される用紙のどの幅より広くなっている。したがって、舌部５２が用紙に印刷された画像の読み取りを阻害することはない。
【００３９】
このように可撓性シート４６の先端部に舌部５２を設けることにより、簡易に可撓性シート部材の位置決めができ、容易に可撓性シート４６の先端部を画像読取位置Ｒの直前に配置できる。これにより、より平らに近い状態で用紙に印刷された画像を読み取ることができ、ひいては、より正確な印刷結果の検査ができる。
【００４０】
なお、本実施の形態では、舌部５２を矩形としているが、他の形状であってもよい。例えば、図４に示すように三角形状の舌部５２を用いてもよい。この舌部５２は、三角形状の板材からなり、やはり、可撓性シート４６の先端部から延びるものである。このような舌部５２を利用して、可撓性シート４６の位置決めを行う場合も、やはり、画像読取装置１７で読み取られる画像を確認しながら、舌部５２のみが読み取ることができる位置まで可撓性シート４６を移動させる。
【００４１】
ただし、このとき、画像読取装置１７で読み取られる舌部５２の幅Ｌ（以下、「舌部の読取幅Ｌ」という）を考慮する。すなわち、舌部５２の読取幅Ｌが所定の値になる位置まで可撓性シート４６を移動させる。この舌部５２の読取幅Ｌは、見方を変えれば、可撓性シート４６の先端部と画像読取位置Ｒとの位置関係を表すものである。したがって、舌部５２の読取幅Ｌも考慮することにより、より精度のよい可撓性シート部材の位置決めが可能となる。なお、この場合、舌部５２の形状は、三角形状に限定されず、下流側ほど幅狭となる形状、例えば、台形形状等でもよい。あるいは、逆に、下流側ほど幅広となる形状でもよい。
【００４２】
また、舌部５２に可撓性シート４６の先端部と画像読取位置Ｒとの位置関係を示す模様５４を設けてもよい。例えば、図５に示すように、舌部５２に所定間隔で直線５４ａ，５４ｂ，・・・の模様を設け、画像読取装置１７で所定の直線（例えば、直線５４ｃ）が読み取れる位置まで、可撓性シート４６を移動させる。直線５４ｃが読み取れるのは、可撓性シート４６の先端部と画像読取位置Ｒとの位置関係が所定の位置関係（距離）になった場合である。したがって、所定の直線５４ｃが読み取れる位置まで可撓性シート４６を移動させれば、可撓性シート４６の先端部と画像読取位置Ｒとが所定の位置関係になっていると言える。これにより、より詳細な位置決めが可能となる。以上、説明したように、舌部５２に所定の位置関係を示す模様を設けることにより、より精度のよい可撓性シート部材の位置決めが可能となる。もちろん、模様は、図５に示すように横方向（搬送方向）の直線でなく、縦方向の直線であってもよい。また、直線に限らず、目盛りや図形、切込み等でもよい。
【００４３】
さらに、舌部５２の色を図６に示すように、可撓性シート４６よ異なる色にしてもよい。これにより、より、舌部５２を鮮明に確認することができ、より正確な位置決めが可能となる。
【００４４】
また、本実施の形態では、舌部５２は、可撓性シート４６の両側に２つ設けているが、１つのみ、または、３以上設けてもよい。また、舌部５２と可撓性シート４６は、一体で形成されても、別体で形成されてもよい。
【図面の簡単な説明】
【００４５】
【図１】本発明の実施の形態であるプリンタの概略構成図である。
【図２】プリンタの検査装置周辺概略側面図である。
【図３】プリンタの検査装置周辺概略側面図である。
【図４】（Ａ）は他の実施の形態における可撓性シートおよび舌部の形状を示す図であり、（Ｂ）は（Ａ）におけるＸ部拡大図である。
【図５】（Ａ）は他の実施の形態における可撓性シートおよび舌部の形状を示す図であり、（Ｂ）は（Ａ）におけるＹ部拡大図である。
【図６】他の実施の形態における可撓性シートおよび舌部の形状を示す図である。
【符号の説明】
【００４６】
１０  プリンタ、１２  印刷部、１４  主搬送路、１６  検査装置、１７  画像読取装置、１８  両面用搬送路、２１  排紙用搬送路、２２  収容部、２４  排紙部、３８  搬送ガイド板、４６  可撓性シート、４８  移動機構、５０  用紙、５２  舌部、Ｌ  舌部の読取幅、Ｒ  画像読取位置、Ｗ  一対の舌部間距離。
【図１】
2005212937.tif 000003
【図２】
2005212937.tif 000004
【図３】
2005212937.tif 000005
【図４】
2005212937.tif 000006
【図５】
2005212937.tif 000007
【図６】
2005212937.tif 000008